(57)【要約】【課題】音声データを送信する際に、不要な音声データによる処理負担を無くす通信装置、方法およびプログラムを提供すること。【解決手段】本発明は、音声データの通信を行う通信装置、方法およびプログラムを提供する。本発明の通信装置は、外部から入力された音声データの少なくとも１以上の特性に基づいて音声データの符号化の必要性を判断し、その判断手段の判断結果に基づいて音声データを符号化する。本発明の通信装置は、音声データの符号化が不要と判断した場合は音声データを符号化しない。【選択図】図１
2015094849.tif 000002
【特許請求の範囲】
【請求項１】
音声データの通信を行う通信装置であって、
外部から入力された音声データの少なくとも１以上の特性に基づいて、前記音声データの符号化の必要性を判断する判断手段と、
前記判断手段の判断結果に基づいて前記音声データを符号化する実行手段と
を備え、
前記実行手段は、前記判断手段が前記音声データの符号化が不要と判断した場合は前記音声データを符号化しないことを特徴とする、通信装置。
【請求項２】
前記音声データの特性判断要素は、音量、波形およびＳ／Ｎ比であることを特徴とする、請求項１に記載の通信装置。
【請求項３】
前記判断手段は、前記音声データの音量が第１の値以下または第２の値以上の場合、前記音声データの符号化の必要がないと判断する、請求項２に記載の通信装置。
【請求項４】
前記判断手段は、前記音声データの波形が特定の波形と同一または類似する場合、前記音声データの符号化の必要がないと判断する、請求項２または３に記載の通信装置。
【請求項５】
前記判断手段は、前記音声データのＳ／Ｎ比が所定の値未満の場合、前記音声データの符号化の必要がないと判断する、請求項２〜４のいずれか１項に記載の通信装置。
【請求項６】
音声データの通信を行う通信装置が実行する方法であって、前記方法は、
外部から入力された音声データの少なくとも１以上の特性に基づいて、前記音声データの符号化の必要性を判断するステップと、
前記判断するステップの判断結果に基づいて前記音声データを符号化するステップと
を含み、
前記符号化するステップは、前記判断するステップで前記音声データの符号化が不要と判断された場合は前記音声データを符号化しないことを特徴とする、方法。
【請求項７】
前記音声データの特性判断要素は、音量、波形およびＳ／Ｎ比であることを特徴とする、請求項６に記載の方法。
【請求項８】
音声データの通信を行う通信装置に対し、請求項６または７に記載の方法を実行させるプログラム。
【発明の詳細な説明】
【技術分野】
【０００１】
本発明は、映像および音声の通信を行う通信技術に関し、より詳細には、複数の拠点間で映像および音声の相互通信を行う通信装置、方法およびプログラムに関する。
【背景技術】
【０００２】
近年、インターネット等の高速データ通信が可能なネットワークの普及に伴い、遠隔地の複数の拠点間で映像や音声を相互に配信して会議等を行うビデオ会議が利用されるようになっている。
【０００３】
このようなビデオ会議を実現する従来技術の一例として、特許文献１は、エンドポイントからの入力信号をモニタリングし、マウスのクリック音やキーボードのタイピング音等のノイズを検知すると、無音のセグメント等の他の音声データに置換してノイズを低減する会議システムを開示する。
【発明の概要】
【発明が解決しようとする課題】
【０００４】
しかしながら、音声データを送信する場合、通常、送信対象の音声データを符号化するところ、特許文献１が開示する会議システムでは、ノイズを含む音声データを置換した他の音声データ、すなわち、送信側のユーザの会話が含まれていない音声データを符号化して送信する。このため、送信先で必要とされない音声データの符号化処理によって送信側および送信先の双方で通信装置の処理負担が増加するという問題があった。
【０００５】
本発明は上述した課題を解決するものであり、音声データを送信する際に、不要な音声データによる処理負担を無くすことができる通信装置、方法およびプログラムを提供することを目的とする。
【課題を解決するための手段】
【０００６】
本発明の通信装置は、外部から入力された音声データの少なくとも１以上の特性に基づいて符号化の必要性を判断し、その判断手段の判断結果に基づいて音声データを符号化する。本発明の通信装置は、音声データの符号化が不要と判断した場合は音声データを符号化しない。
【発明の効果】
【０００７】
本発明の通信装置は、上記手段を採用することにより、音声データを送信する際に、不要な音声データによる処理負担を無くすことができる。
【図面の簡単な説明】
【０００８】
【図１】本発明の通信システムの一実施形態を示す図。
【図２】伝送端末１０ａのハードウェア構成の一実施形態を示す図。
【図３】伝送端末１０ａの機能構成の一実施形態を示す図。
【図４】音声特性判断情報の一実施形態を示す図。
【図５】本発明の通信装置が実行する方法の一実施形態を示すフローチャート。
【図６】本発明が採用する入力音声のＳ／Ｎ比の算出方法の一実施形態を示す概念図。
【図７】別の実施形態に係る通信装置のハードウェア構成を示す図。
【発明を実施するための形態】
【０００９】
以下、本発明について実施形態をもって説明するが、本発明は後述する実施形態に限定されるものではない。
【００１０】
図１は、本発明の通信システムの一実施形態を示す図である。通信システム１００は、伝送端末１０ａ〜１０ｈと、表示装置２０ａ〜２０ｈと、中継装置３０ａ〜３０ｄと、通信管理装置４０と、ルータ５０ａ，ルータ５０ｂ，ルータ５０ａｂ，ルータ５０ｃ，ルータ５０ｄ，ルータ５０ｃｄとを含んで構成される。通常、１の拠点について１の伝送端末１０ａ〜１０ｈが設置される。
【００１１】
伝送端末１０ａ〜１０ｈは、他拠点の伝送端末１０ａ〜１０ｈ、中継装置３０ａ〜３０ｄおよび通信管理装置４０との間で、ルータ５０ａ，ルータ５０ｂ，ルータ５０ａｂ，ルータ５０ｃ，ルータ５０ｄ，ルータ５０ｃｄおよびネットワーク６０を介して、画像データおよび音声データ等の種々のデータを相互通信する通信装置である。伝送端末１０ａ〜１０ｈは、中継装置３０ａ〜３０ｄを介して画像データおよび音声データを相互に通信し、当該伝送端末１０ａ〜１０ｈに接続された表示装置２０ａ〜２０ｈに画像を表示すると共に音声を出力する。
【００１２】
中継装置３０ａ〜３０ｄは、伝送端末１０ａ〜１０ｈおよび通信管理装置４０の間のデータ通信を中継する装置である。中継装置３０ａ〜３０ｄは、伝送端末１０ａ〜１０ｈが送信する画像データや音声データを、他の伝送端末１０ａ〜１０ｈに振り分けて送信する。
【００１３】
通信管理装置４０は、通信システム１００内のデータ通信を管理する装置である。通信管理装置４０は、伝送端末１０ａ〜１０ｈおよび中継装置３０ａ〜３０ｄの間のセッションを確立し、複数の拠点間のデータ通信を可能にする。
【００１４】
図２は、伝送端末１０ａのハードウェア構成の一実施形態を示す図である。以下、図２を参照して、伝送端末１０ａのハードウェア構成について説明する。なお、他の伝送端末１０ｂ〜１０ｈのハードウェア構成は、伝送端末１０ａと同様であるため、説明を省略する。
【００１５】
伝送端末１０ａは、ＣＰＵ２０１と、ＲＯＭ２０２と、ＲＡＭ２０３と、ＳＳＤ２０４と、メディアドライブ２０６と、操作ボタン２０７と、電源スイッチ２０８と、ネットワークインタフェース（Ｉ／Ｆ）２１０と、撮影素子インタフェース（Ｉ／Ｆ）２１２と、音声入出力インタフェース（Ｉ／Ｆ）２１５と、表示装置インタフェース（Ｉ／Ｆ）２１６とを含んで構成される。これらの装置はデータバス２０９を介して接続されている。
【００１６】
ＣＰＵ２０１は、伝送端末１０ａの動作を制御するプロセッサである。ＲＯＭ２０２は、本発明のプログラムが記憶される記憶装置である。ＲＡＭ２０３は、本発明のプログラムの実行空間を提供する記憶装置である。伝送端末１０ａのＣＰＵ２０１は、は、ＷＩＮＤＯＷＳ（登録商標）シリーズ、Ｍａｃ（登録商標）ＯＳ、ＵＮＩＸ（登録商標）、ＬＩＮＵＸ（登録商標）などの種々のＯＳの管理下で、ＲＯＭ２０２から本発明のプログラムを読み出し、ＲＡＭ２０３に展開して実行することにより、後述する機能部を伝送端末１０ａ上に実現する。本発明のプログラムは、アセンブラ、Ｃ、Ｃ＋＋、Ｊａｖａ（登録商標）、Ｊａｖａ  Ｓｃｒｉｐｔ（登録商標）、ＰＥＲＬ、ＲＵＢＹ、ＰＹＴＨＯＮなどの種々のプログラム言語で記述することができる。
【００１７】
ＳＳＤ２０４は、画像データや音声データ等の各種データを記憶するフラッシュメモリやＥＥＰＲＯＭ等の不揮発メモリ（図示せず）を備えており、当該不揮発メモリに対する各種データの読み出しや書き込みを制御する。メディアドライブ２０６は、フラッシュメモリ等の記録メディア２０５を挿入可能な装置であり、記録メディア２０５に対するデータの読み出しまたは書き込みを制御する。
【００１８】
操作ボタン２０７は、セッションを確立する他拠点の伝送端末の選択や種々の設定を行う入出力装置である。電源スイッチ２０８は、伝送端末１０ａの電源のＯＮ／ＯＦＦを切り換えるスイッチである。ネットワークＩ／Ｆ２１０は、ルータ５０ａとの接続を提供するインタフェースであり、ネットワーク６０を介したデータ通信を行う。
【００１９】
撮像素子Ｉ／Ｆ２１２は、被写体を撮像して画像を生成するＣＣＤ２１１を接続するインタフェースであり、ＣＣＤ２１１を制御して画像を生成する。本実施形態では、撮像素子としてＣＣＤを採用するが、ＣＭＯＳ等の他の撮像素子を採用してもよい。
【００２０】
音声入出力Ｉ／Ｆ２１５は、マイク２１３およびスピーカ２１４を接続するインタフェースであり、マイク２１３およびスピーカ２１４との間で音声データの入出力を行う。
【００２１】
表示装置Ｉ／Ｆ２１６は、表示装置２０ａを接続するインタフェースであり、表示装置２０ａに画像を出力する。表示装置２０ａは、伝送端末１０ａが出力する種々の画像を表示する表示装置である。
【００２２】
図３は、伝送端末１０ａの機能構成の一実施形態を示す図である。以下、図３を参照して、伝送端末１０ａの機能構成について説明する。なお、他の伝送端末１０ｂ〜１０ｈの機能構成は、伝送端末１０ａと同様であるため、説明を省略する。
【００２３】
伝送端末１０ａは、制御部３００と、送受信部３０２と、操作受付部３０４と、撮像部３０６と、メモリ制御部３０８と、記憶部３１０と、表示制御部３１２と、音声入力部３１４と、音声出力部３１６と、符号化部３１８と、復号化部３２８とを含んで構成される。
【００２４】
制御部３００は、伝送端末１０ａが実行する処理の全体制御を行う手段である。制御部３００は、後述する機能部を用いて種々の処理を実行する。
【００２５】
送受信部３０２は、通信管理装置４０および中継装置３０ａ〜３０ｄと通信を行う手段であり、ネットワークＩ／Ｆ２１０によって実現される。送受信部３０２は、制御部３００の制御下で、撮像部３０６が生成する画像データや音声入力部３１４に入力される音声（以下、「入力音声」とする。）の符号化データを中継装置３０ａ〜３０ｄに送信する。また、中継装置３０ａ〜３０ｄから他の伝送端末の復号化された画像データや音声データを受信すると、メモリ制御部３０８を介して記憶部３１０にバッファリングする。
【００２６】
操作受付部３０４は、ユーザによる各種の操作指示を受け付ける手段である。例えば、ユーザが電源スイッチ２０８をＯＮにすると電源投入指示が発行される。操作受付部３０４は、当該指示を受け付けると、伝送端末１０ａの電源をＯＮにする。
【００２７】
撮像部３０６は、被写体を撮像して画像データを生成する手段であり、ＣＣＤ２１１および撮像素子Ｉ／Ｆ２１２によって実現される。撮像部３０６は、伝送端末１０ａが起動すると撮影を開始し、画像データを生成する。
【００２８】
メモリ制御部３０８は、記憶部３１０を制御する手段である。メモリ制御部３０８は、各種データを記憶部３１０に保存し、また、記憶部３１０に保存された各種データを読み出す。記憶部３１０には、入力音声の特性の判断に利用される音声特性判断情報が保存される。
【００２９】
図４は、音声特性判断情報の一実施形態を示す図である。音声特性判断情報４００は、特性判断要素４０１と、有効性４０２と、優先度４０３とで構成される。特性判断要素４０１は、入力音声の特性を判断する要素である。本実施形態では、特性判断要素として、入力音声の音量、入力音声の波形、および入力音声のＳ／Ｎ比が使用される。
【００３０】
有効性４０２は、特性判断要素の有効性を示す情報であり、開発者またはユーザが任意で指定することができる。図４に示す実施形態では、入力音声の音量および波形が有効であり、Ｓ／Ｎ比が無効となっている。この場合、入力音声の音量および波形は特性判断要素として使用され、Ｓ／Ｎ比は特性判断要素として使用されない。
【００３１】
優先度４０３は、複数の特性判断要素が有効とされている場合の優先度、すなわち、いずれの特性判断要素を優先して入力音声の特性を判断するかを示す情報である。図４に示す実施形態では、入力音声の音量の優先度が「２」、音声データの波形の優先度が「１」である。この場合、入力音声の波形が優先して判断される。
【００３２】
表示制御部３１２は、表示装置２０ａを制御する手段である。表示制御部３１２は、撮像部３０６が生成した画像データや、記憶部３１０にバッファリングされている画像データを復号化部３２８に復号させ、表示装置２０ａに出力して表示させる。また、表示制御部３１２は、遠隔通信の開始時に通信先の伝送端末を選択する画面等の種々の画面を表示装置２０ａに表示させる。
【００３３】
音声入力部３１４は、マイク２１３が生成した音声信号を入力する手段である。音声入力部３１４は、音声入出力Ｉ／Ｆ２１５によって実現される。
【００３４】
音声出力部３１６は、音声信号を出力する手段であり、音声入出力Ｉ／Ｆ２１５によって実現される。音声出力部３１６は、記憶部３１０にバッファリングされている復号化された音声データを復号化部３２８に復号させ、スピーカ２１４に出力する。
【００３５】
符号化部３１８は、音声入力部３１４が提供する入力音声の音声データおよび撮像部３０６が生成した画像データを符号化する手段であり、音声受付部３２０と、画像受付部３２２と、符号化判断部３２４と、符号化実行部３２６とを含む。
【００３６】
音声受付部３２０は、音声入力部３１４が提供する入力音声の音声データを受け付ける手段である。画像受付部３２２は、撮像部３０６が生成した画像データを受け付ける手段である。
【００３７】
符号化判断部３２４は、入力音声の音声データの符号化の要否を判断する手段である。符号化判断部３２４は、記憶部３１０に保存されている音声特質判断情報を参照し、入力音声の音声データの音量、波形およびＳ／Ｎ比を分析して当該音声データの符号化の要否を判断し、その判断結果を符号化実行部３２６に通知する。符号化判断部３２４が実行する処理については、図５を参照して詳述する。
【００３８】
符号化実行部３２６は、画像データおよび音声データを符号化する手段である。符号化実行部３２６は、符号化判断部３２４の判断結果に基づいて音声データを符号化する。すなわち、符号化実行部３２６は、音声データの符号化が必要である旨の判断結果が示されている場合には音声データを符号化し、音声データの符号化が不要である旨の判断結果が示されている場合には音声データを符号化しない。複数の特性判断要素を用いて入力音声の特性が判断された場合、少なくとも１つの特性判断要素について音声データの符号化が不要である旨の判断結果が示されているときは、符号化実行部３２６は当該音声データを符号化しない。
【００３９】
符号化実行部３２６は、符号化判断部３２４の判断結果に関わらず、画像データを符号化する。符号化実行部３２６が符号化した画像データおよび音声データは、送受信部３０２によって外部に送信される。一方、符号化実行部３２６が符号化していない音声データ、すなわち、符号化が不要であると判断された音声データは外部に送信されない。これにより、音声データの送信側および送信先において、不要な音声データの符号化処理による通信装置の負担を無くすことができる。
【００４０】
復号化部３２８は、符号化された画像データおよび音声データを復号する手段である。復号化部３２８は、他の機能部の要求に応じて、記憶部３１０に保存されている符号化データを復号する。
【００４１】
図５は、本発明の通信装置が実行する処理の一実施形態を示すフローチャートである。以下、図５を参照して、音声データの符号化の要否を判断する処理について説明する。
【００４２】
図５に示す処理は、ステップＳ５００で符号化部３１８の音声受付部３２０が、音声入力部３１４から音声データを受け付けることにより開始する。他の実施形態では、符号化部３１８は、図５に示す処理を周期的に実行することができる。
【００４３】
ステップＳ５０１では、符号化部３１８の符号化判断部３２４が、記憶部３１０に保存されている音声特性判断情報を参照し、判断対象の特性判断要素、すなわち、指定されている特性判断要素を判定し、特性判断要素の種類に応じて、ステップＳ５０２、ステップＳ５０４またはステップＳ５０７に処理が分岐する。
【００４４】
具体的には、特性判断要素として音量が指定されている場合は、ステップＳ５０２に処理が分岐する。特性判断要素として波形が指定されている場合は、ステップＳ５０３に処理が分岐する。特性判断要素としてＳ／Ｎ比が指定されている場合は、ステップＳ５０７に処理が分岐する。複数の特性判断要素が指定されている場合は、優先度の高い特性判断要素が先に判断される。
【００４５】
ステップＳ５０２では、符号化判断部３２４は、音声データに含まれる音声レベルを解析し、入力音声の音量が３０ｄｂを超えるか否か判断する。本実施形態では、例として３０ｄｂを採用するが、任意の音圧値を採用することができる。
【００４６】
入力音声の音量が３０ｄｂ以下である場合（ｎｏ）、すなわち、入力音声が微弱音であるには、ステップＳ５０８に処理が分岐し、符号化判断部３２４が、入力音声の符号化が不要である旨の判断結果を作成する。一方、入力音声の音量が３０ｄｂを超える場合は（ｙｅｓ）、ステップＳ５０３に処理が分岐する。
【００４７】
ステップＳ５０３では、符号化判断部３２４は、音声データに含まれる音声レベルを解析し、入力音声の音量が８０ｄｂ未満である否か判断する。本実施形態では、例として８０ｄｂを採用するが、任意の音圧値を採用することができる。
【００４８】
入力音声の音量が８０ｄｂ未満である場合は（ｙｅｓ）、ステップＳ５０８で符号化判断部３２４が、入力音声の符号化が必要である旨の判断結果を作成する。一方、入力音声の音量が８０ｄｂ以上である場合（ｎｏ）、すなわち、入力音声が騒音や爆音の場合は、ステップＳ５０８で符号化判断部３２４が、入力音声の符号化が不要である旨の判断結果を作成する。
【００４９】
ステップＳ５０４では、符号化判断部３２４は、入力音声の波形が、キーボードの打鍵音であるキーボード音の波形と同一または類似するか否か判断する。本実施形態では、符号化判断部３２４は、入力音声の音声データをフーリエ変換し、音声強度の大きい上位３つの周波数を抽出する。そして、符号化判断部３２４は、キーボード音の音声データをフーリエ変換して得られる音声強度の大きい上位３つの周波数と、入力音声の上位３つの周波数とを比較し、これらの周波数が同一であれば、入力音声の波形とキーボード音の波形とが同一であると判断し、これらの周波数が一定の範囲内の関係にあれば、入力音声の波形とキーボード音の波形とが類似すると判断する。
【００５０】
入力音声の波形がキーボード音の波形と同一または類似する場合は（ｙｅｓ）、ステップＳ５０８に処理が分岐し、ステップＳ５０８で符号化判断部３２４が、入力音声の符号化が不要である旨の判断結果を作成する。一方、入力音声の波形がキーボード音の波形と同一または類似しない場合は（ｎｏ）、ステップＳ５０５に処理が分岐する。
【００５１】
ステップＳ５０５では、符号化判断部３２４は、入力音声の波形が、マウスのクリック音の波形と同一または類似するか否か判断する。本実施形態では、符号化判断部３２４は、キーボード音と同様の方法で、入力音声の波形がクリック音の波形と同一または類似するか否か判断することができる。
【００５２】
入力音声の波形がクリック音の波形と同一または類似する場合は（ｙｅｓ）、ステップＳ５０８に処理が分岐し、ステップＳ５０８で符号化判断部３２４が、入力音声の符号化が不要である旨の判断結果を作成する。一方、入力音声の波形がクリック音の波形と同一または類似しない場合は（ｎｏ）、ステップＳ５０６に処理が分岐する。
【００５３】
ステップＳ５０６では、符号化判断部３２４は、入力音声の波形が、筆記音の波形と同一または類似するか否か判断する。本実施形態では、符号化判断部３２４は、キーボード音と同様の方法で、入力音声の波形が筆記音の波形と同一または類似するか否か判断することができる。
【００５４】
入力音声の波形が筆記音の波形と同一または類似する場合は（ｙｅｓ）、ステップＳ５０８に処理が分岐し、ステップＳ５０８で符号化判断部３２４が、入力音声の符号化が不要である旨の判断結果を作成する。一方、入力音声の波形が筆記音の波形と同一または類似しない場合は（ｎｏ）、ステップＳ５０８で符号化判断部３２４が、入力音声の符号化が必要である旨の判断結果を作成する。
【００５５】
ステップＳ５０７では、符号化判断部３２４は、入力音声のＳ／Ｎ比を算出し、入力音声のＳ／Ｎ比が１．０未満であるか否か判断する。本実施形態では、Ｓ／Ｎ比の基準値として１．０を採用するが、入力音声に含まれるノイズを識別し得る限り、任意の値を基準値として採用することができる。
【００５６】
入力音声のＳ／Ｎ比が１．０未満である場合（ｙｅｓ）、すなわち、入力音声のノイズの割合が高い場合は、ステップＳ５０８で符号化判断部３２４が、入力音声の符号化が不要である旨の判断結果を作成する。一方、入力音声のＳ／Ｎ比が１．０を超える場合（ｎｏ）、すなわち、入力音声にノイズ以外の音、例えば、会話が含まれる場合は、ステップＳ５０８で符号化判断部３２４が、入力音声の符号化が必要である旨の判断結果を作成する。
【００５７】
ステップＳ５０９では、符号化判断部３２４は、音声特性判断情報で指定されている総ての特性判断要素について、入力音声の特性を判断したか否か判定する。指定されている総ての特性判断要素について入力音声の特性を判断していない場合は（ｎｏ）、ステップＳ５０１に処理を戻し、未だ判断されていない特性判断要素について入力音声の特性を判断する。一方、指定されている総ての特性判断要素について入力音声の特性を判断した場合は（ｙｅｓ）、ステップＳ５１０で処理が終了する。
【００５８】
図６は、本発明が採用する入力音声のＳ／Ｎ比の算出方法の一実施形態を示す概念図である。以下、図６を参照して、Ｓ／Ｎ比の算出方法の一実施形態について説明する。
【００５９】
図６に示す入力音声の波形６００は、入力音声に会話と雑音とが混合した場合の波形であり、会話波形６０１と、雑音波形６０２とが合成された波形である。符号化判断部３２４は、入力音声の波形６００を所定の時間単位で複数のセグメントに分割する。次いで、符号化判断部３２４は、各セグメントの波形と当該所定の時間単位で分割した雑音波形とを比較し、雑音波形と雑音波形以外の波形とを分離する。本実施形態では、符号化判断部３２４は、雑音以外の音である人間の声は、調波モデルや線形予測モデル、隠れマルコフモデル等の種々のモデルを用いて雑音と分離することができる。
【００６０】
そして、符号化判断部３２４は、各セグメントについて、雑音波形以外の波形の強度（Ｓ）と雑音波形の強度（Ｎ）とを導出して入力音声のＳ／Ｎ比を算出し、セグメント単位で判定結果を生成する。符号化実行部３２６は、Ｓ／Ｎ比が所定値よりも低い音声データのセグメント、すなわち、ノイズの割合の高い音声データのセグメントを符号化しない。
【００６１】
図７は、別の実施形態に係る通信装置のハードウェア構成を示す図である。以下、図７を参照して、別の実施形態に係る通信装置のハードウェア構成について説明する。
【００６２】
通信装置７００は、ＣＰＵ７０１、ＲＯＭ７０２、ＲＡＭ７０３、ハードディスク装置７０４およびネットワークインタフェース（Ｉ／Ｆ）７０５を備えている。ＣＰＵ７０１は、伝送端末１０ａの動作を制御するプロセッサである。ＲＯＭ７０２は、本発明のプログラムが記憶される記憶装置である。ＲＡＭ７０３は、本発明のプログラムの実行空間を提供する記憶装置である。ハードディスク装置７０４は、画像データや音声データ等の各種データを記憶する記憶装置である。ネットワークインタフェース（Ｉ／Ｆ）７０５は、インターネットやＬＡＮ等の種々のネットワークを介した通信を制御するインタフェースである。
【００６３】
通信装置７００のＣＰＵ７０１は、ＷＩＮＤＯＷＳ（登録商標）、ＵＮＩＸ（登録商標）、ＬＩＮＵＸ（登録商標）、Ｍａｃ  ＯＳ（登録商標）などの種々のＯＳの下で、ＲＯＭ７０２から本発明のプログラムを読み出し、ＲＡＭ７０３に展開して実行することにより、上述した機能部を通信装置７００上に実現する。通信装置７００は、ネットワークインタフェース（Ｉ／Ｆ）７０５を介して音声データおよび画像データを外部装置と通信する。本実施形態では、通信装置７００として、タブレット型ＰＣ、ノート型ＰＣ、デスクトップ型ＰＣ、スマートフォン等の種々の情報処理装置を採用することができる。
【００６４】
これまで本実施形態につき説明してきたが、本発明は、上述した実施形態に限定されるものではなく、本実施形態の構成要素を変更若しくは削除し、または本実施形態の構成要素に他の構成要素を追加するなど、当業者が想到することができる範囲内で変更することができる。いずれの態様においても本発明の作用効果を奏する限り、本発明の範囲に含まれるものである。
【符号の説明】
【００６５】
１０ａ〜１０ｈ…伝送端末、２０ａ〜２０ｈ…表示装置、３０ａ〜３０ｄ…中継装置、４０…通信管理装置、５０ａ，５０ｂ，５０ａｂ，５０ｃ，５０ｄ，５０ｃｄ…ルータ、６０…ネットワーク、１００…通信システム
【先行技術文献】
【特許文献】
【００６６】
【特許文献１】特表２０１３−５３１４４４
【図１】
2015094849.tif 000003
【図２】
2015094849.tif 000004
【図３】
2015094849.tif 000005
【図４】
2015094849.tif 000006
【図５】
2015094849.tif 000007
【図６】
2015094849.tif 000008
【図７】
2015094849.tif 000009